Podtech/llm-jp-corpus-v4-ja_patent huggingface dataset:
(57)【要約】　　　（修正有）【課題】不織布研磨材による研磨作業において作業者が腰をかがめたり無理な姿勢を強いられるということが無く、尚かつ不織布研磨材が摩耗した場合に簡単に脱着交換ができる不織布研磨材保持具を考案する。【解決手段】不織布研磨材７で錆び落としや研磨作業をする際、作業者が腰をかがめたり無理な姿勢をとらなくても済むよう前後方向に回転自在で適度な長さの柄１を具備し、なおかつ不織布研磨材７が研磨作業中にずれたり外れたりしないよう確実に保持するため突起した爪８を具備した保持具本体２と押さえ金具３によって不織布研磨材７を左右側面から挟み込み爪８を食い込ませることによって固定するが不織布研磨材７が摩耗し交換する際には、この爪８を具備した押さえ金具３が回転軸４を中心に回転し開閉することによって簡単に不織布研磨材７を脱着交換することができる。【選択図】　　図１
0003099072.tif 000002
【実用新案登録請求の範囲】
【請求項１】
不織布研磨材で錆び落としや研磨作業をする際、作業者が腰をかがめたり無理な姿勢をとらなくても済むよう前後方向に回転自在で適度な長さの柄を具備し、なおかつ不織布研磨材が研磨作業中にずれたり外れたりしないよう確実に保持するため突起した爪を具備した保持具本体と押さえ金具によって不織布研磨材を左右側面から挟み込み、爪を食い込ませることによって固定するが不織布研磨材が摩耗し交換する際には、この爪を具備した押さえ金具が回転軸を中心に回転し開閉することによって簡単に不織布研磨材を脱着交換することができる不織布研磨材保持具。
【考案の詳細な説明】
【技術分野】
【０００１】
本考案は金属、木材、樹脂、塗装表面等を研磨したり錆び落としをする不織布研磨材の保持具に関するものである。
【背景技術】
【０００２】
従来、不織布研磨材自体にあまり剛性が無いため適当な保持具が無くこれを使用する際には人が手に持って研磨作業をしていた。
【考案の開示】
【考案が解決しようとする課題】
【０００３】
従来の技術で述べたものにあっては作業者が研磨作業中、状況によっては腰をかがめたり無理な姿勢を強いられるという問題点を有していた。また研磨作業中に不織布研磨材がずれたり外れたりしないよう確実に保持するとともに、不織布研磨材が摩耗して交換する際には簡単に脱着できるようにしなければならない。
【課題を解決するための手段】
【０００４】
本考案は不織布研磨材の左右側面に突起した爪を食い込ませることにより確実に保持し、前後方向に回転自在で適度な長さの柄を具備することにより掃除用のモップのように使用することができる。さらに不織布研磨材が摩耗し交換する際には脱着が簡単にできる構造になっていることを特徴とする。　
【考案の効果】
【０００５】
本考案の不織布研磨材保持具は適度な長さの柄を具備していることにより研磨作業中に作業者が掃除用のモップのように使用することができるので腰をかがめたり無理な姿勢をとる必要が無くなる。また摩耗した不織布研磨材も簡単に脱着交換できるという利点がある。
【考案を実施するための最良の形態】
【０００６】
作業者が腰をかがめたり無理な姿勢をしなくても不織布研磨材による研磨作業ができ、尚かつ摩耗した不織布研磨材も簡単に脱着交換できるという目的を最少の部品点数でコストをかけずに実現した。
【実施例１】
【０００７】
以下、本考案の実施の形態を実施例にもとづき図面を参照して説明する。
図１、図２、図３は本考案に関わる不織布研磨材保持具の実施例を説明するものであってこのうち図１は要部を説明する斜視図、図２は不織布研磨材を脱着する際の裏面より見た斜視図、図３は全体の斜視図である。
【０００８】
図１に示すようにこの不織布研磨材保持具は主に柄１、保持具本体２、押さえ金具３、回転軸４、蝶ネジ５，支持金具６、不織布研磨材７、リベット１０から構成されている。
【０００９】
図２に示すように保持具本体２および押さえ金具３には爪８が具備され、不織布研磨材７を装着する際にはこの爪８が不織布研磨材７の左右側面に食い込み保持されることにより研磨作業中にずれたり外れたりしないようになっている。又、押さえ金具３は保持具本体２に回転軸４を介して取り付けられており、この回転軸４を中心にして開閉することによって不織布研磨材７の脱着交換が簡単に行えるようになっている。
【００１０】
図２に示すように不織布研磨材７を装着する際にはまず押さえ金具３を回転軸４を中心に開いておき、保持具本体２に具備された爪８に不織布研磨材７の片側側面を食い込ませる。次に押さえ金具３を回転軸４を中心に閉じて不織布研磨材７のもう一方の片側側面にも爪８を食い込ませる。このとき押さえ金具３に設けられた切り欠き９が保持具本体２に具備された蝶ネジ５の下に移動してくるのでこの蝶ネジ５を締め込むことによって押さえ金具３を挟み、開かないように固定する。
【００１１】
不織布研磨材７を取り外す際には保持具本体２に具備された蝶ネジ５を緩め、押さえ金具３を回転軸４を中心にして開いてから不織布研磨材７を取り外す。
【００１２】
図３に示すように保持具本体２には支持金具６が接合されている。この支持金具６には適度な長さの柄１がをリベット１０を介して前後自在に回転するよう具備されていることによって作業者が研磨作業時に掃除用のモップのように使用できるので腰をかがめたり無理な姿勢をとる必要が無くなる。
【図面の簡単な説明】
【００１３】
【図１】本考案の要部を説明する斜視図
【図２】本考案において不織布研磨材の脱着状態を説明する裏面より見た斜視図
【図３】本考案全体の斜視図
【符号の説明】
【００１４】
　１．柄　
　２．保治具本体
　３．押さえ金具　　
　４．回転軸
　５．蝶ネジ
　６．支持金具
　７．不織布研磨材
　８．爪
　９．切り欠き
　１０．リベット
【図１】
0003099072.tif 000003
【図２】
0003099072.tif 000004
【図３】
0003099072.tif 000005
(57)【要約】
【課題】ウエスト・ゴムの接ぎ合わせで円型をなしていた所を接ぎ合わさずに開放して腹部の圧迫を防止しつつ、しっかりとウエストをガードする。
【解決手段】　ウエスト・ゴムの接ぎ合わせ部分を前中央に移して、胴体部分迄の４〜５ｃｍ開放すると、着用したときに、両脇へと伸びたウエスト・ゴムは前中央で弧を描いて、腹部を開放しつつウエストを安定させる形をなし、腹部の圧迫を防止した下着となるのである。
【選択図】　図４
0003099080.tif 000002
【実用新案登録請求の範囲】
【請求項１】
パンティストッキング等、体に密着している下着類のウエスト・ゴムの接ぎ合わせを開放して、腹部の圧迫を防止する下着。
【考案の詳細な説明】
【考案の詳細な説明】
【技術分野】
【０００１】　本考案は、下着を安定させるウエスト・ゴムに関するものであり、その接ぎ合わせ部分を開放することを特徴とするものである。
【背景技術】
【０００２】　ウエスト・ゴムは接ぎ合わせて円型をなしている為に、腹部の圧迫感を拭いきれないという欠点を有している。
【考案が解決しようとする課題】
【０００３】　従来品のパンティストッキング等のウエストは、安定感は良いが、腹部での圧迫感という問題を有しているので、ウエスト・ゴムを開放した形により、腹部の圧迫を防止した下着となる方法をとるのである。
【課題を解決するための手段】
【０００４】　ウエスト・ゴムの接ぎ合わせ部分を前中央に持ってきて、胴体部分迄の４〜５ｃｍを開放すると、着用したときに、両脇へと伸びたウエスト・ゴムは前中央で弧を描いて、腹部を開放しつつウエストを安定させる形をなし、腹部の圧迫を防止した下着となるのである。
【考案実施の形態】
【０００５】　考案実施の形態については、図面を参照して説明する。
　図１、従来型のパンティストッキングのウエスト・ゴムの接ぎ合わせ部分は後の方にあるＡ
【０００６】　図２、ウエスト・ゴムの接ぎ合わせ部分を前中央に移したＡ１である。
【０００７】　図３、前中央に移った図２Ａ１。開放状態ではＡ１、Ａ２である。
【０００８】　図４、図３のＡ１、Ａ２より４〜５ｃｍＢへと開放する。
【０００９】　図５、着用することにより、Ｂを中心としてＡ１、Ａ２は両脇へと伸びるので、その形は弧を描いて腹部を開放し、ウエスト・ゴムはウエストをしっかりガードしている。
【考案の効果】
【００１０】　中高年になってくると、特に体型の変化は下腹部に現れる。考案は、腹部をサポートしながら、とてもリラックスのできる物となり、スカートやズボン等の重なってくるウエスト腹部はこれまでにない心地よさを生じさせる。
【図面の簡単な説明】
【図１】　　　従来型パンティストッキング。
【図２】　　　ウエスト・ゴムの接ぎ合わせ部分を前中央に移した。
【図３】　　　前中央に移した接ぎ合わせ部分の開放図。
【図４】　　　開放の長さを現した図。
【図５】　　　着用した前姿及び横姿。
【符号の説明】
　　　　　　　Ａ、従来の接ぎ合わせ部分後
　　　　　　　Ａ１、接ぎ合わせ部分の起点印
　　　　　　　Ａ２、接ぎ合わせを開放した起点印
　　　　　　　Ｂ、開放の終点印
【図１】
0003099080.tif 000003
【図２】
0003099080.tif 000004
【図３】
0003099080.tif 000005
【図４】
0003099080.tif 000006
【図５】
0003099080.tif 000007
(57)【要約】
【課題】本考案はブラジャー本体の胸囲を安定させているベルトを脇の下で切断することにより、胸囲の圧迫感をなくす。
【解決手段】本考案はブラジャーの背中の部分で安定ベルトを切断することにより胸囲の圧迫感が開放され、肩ひもをクロスすることにより胸囲が安定しバストアップ、肩ひものズレ落ち防止になる。前中心にカギホックをつけることで着脱が楽になる。
【選択図】　　　図２
0003099014.tif 000002
【実用新案登録請求の範囲】
【請求項１】
　ブラジャーの肩ひもを背中でクロスにし、胸囲の周りのベルトを、クロスしたひもの付け根のところで切断することにより、締め付け感がなく体が楽になると共に肩紐をクロスすることでバストアップする事を特徴とするバストアップらくらくブラジャー。
【考案の詳細な説明】
【考案の詳細な説明】
【考案が属する技術分野】
【０００１】　本考案は、ブラジャーの肩ひも及び背中のカギホックで止めているベルトの部分を改造したものに関するものです。
【背景技術】
【０００２】　左右の胸のカップをひもで肩から背中へ平行に回し、胸のまわりを安定しているベルトに接続している。背中の中心で金具をつけ着脱している。
【考案が解決しょうとする課題】
【０００３】　胸回りのベルトを無くすことにより胸囲の圧迫感がなくなるが安定性にかけるので肩からかけているひもを背中でクロスする。クロスすることにより肩ひものずれも防止でき、背筋も伸び正しい姿勢になる。
【課題を解決するための手段】
【０００４】　本考案は、ブラジャー本体の胸の回りを締め付けている安定ベルトを脇のしたから切断して　圧迫感をなくすものです。
【考案を実施するための最良の形態】
【０００５】　胸囲の安定ベルトを切断することにより胸囲の圧迫感をなくし、背中のラインがすっきりする。
肩ひもを背中でクロスすることで安定し、ひものズレおち防止、なおかつ姿勢も良く見え、バストアップも望める。
【実施例】
【０００６】　以下、添付図面に従って一実施例を説明する。１は着脱するためのカギホック２は安定させるためのクロス３は圧迫感をなくすため切断した部分
【考案の効果】
　上述のように、本考案のバストアップらくらくブラは、ブラジャー本体の胸囲のベルトを途中から切断することにより圧迫感を無くし、肩ひもをクロスすることによりバストもアップし、背中のラインが美しくなる
【図面の簡単な説明】
【図１】　本考案のバストアップらくらくブラジャーの正面図である。
【図２】　本考案のバストアップらくらくブラジャーの背面図である。
【符号の説明】
　１　　　カギホック
　２　　　クロス
　３　　　切断した部分
【図１】
0003099014.tif 000003
【図２】
0003099014.tif 000004
(57)【要約】
【目的】　　傘からしたたり落ちる雨水を集め、雨水の散らかしを防ぐ。
【構成】　　集水桝（１）の内側に円筒（２）を縦方向に取り付ける。
【選択図】　　図１
0003099012.tif 000002
【実用新案登録請求の範囲】
【請求項１】
　空洞にした半球型の集水桝（１）の内側に縦方向に円筒（２）を取り付けた傘の雨ダレ防止器
【考案の詳細な説明】
【考案の詳細な説明】
【産業上の利用分野】
【０００１】　本考案は、傘の先端に取り付ける雨ダレ防止器に関するものである。
【背景技術】
【０００２】　従来は、傘をたたんだ後振るって雨水を落としていたが、それでもしたたり落ち、防止するものはなかった。
【考案が解決しようとする課題】
【０００３】　本考案は、従来の有するこのような問題点に鑑みてなされたものであり、その目的とするところは、傘の先端からしたたり落ちる雨水を止める雨ダレ防止器を提供しようとするものである。
【問題を解決するための手段】
【０００４】　上記目的を達成するために、本考案における傘の雨ダレ防止器は、空洞にした半球型の集水桝（１）の内側に円筒（２）を縦方向にして取り付ける。
　本考案は、以上のような構成による傘の雨ダレ防止器である。
【作用】
【０００５】　円筒（２）を傘の先端に差し込み集水桝（１）を取り付ける。
【実施例】
【０００６】　実施例について図面を参照して説明する。
　図１において、集水桝（１）は軟質プラスチツクを加工して成形し、円筒（２）は直径１５ｍｍ程度の硬質プラスチツクのものを用いる。
【考案の効果】
【０００７】　本考案は、上述のとおり構成されているので傘の先端からしたたり落ちる雨水を集め、撒き散らすことが防止できる。
【図面の簡単な説明】
【図１】　本考案の正面図
【符号の説明】
　１集水桝　２円筒
【図１】
0003099012.tif 000003
(57)【要約】
【課題】裁断に便利な建築用パネルを提供することを課題とする。
【解決手段】予め建築用パネルの四辺３に目盛り２を付し、その内央に所望の大きさの枡目４を縦横に並列したことを特徴とする目盛り付建築用パネルｌを創案した。
【選択図】　　図１
0003099013.tif 000002
【実用新案登録請求の範囲】
【請求項１】
方形状である建築用パネルの四辺（３）に目盛り（２）を付し、その内央部分に所望の大きさで縦横に枡目（４）を並列したことを特徴とする目盛り付建築用パネル。
【請求項２】
前記目盛り（２）と、前記枡目（４）とを建築用パネルの表裏両面に表したことを特徴とする請求項１に記載の目盛り付建築用パネル。
【考案の詳細な説明】
【考案の詳細な説明】
【技術分野】
【０００１】　コンクリート型枠用パネルやサイディング材などは、そのままでなく、裁断加工して使用する場合が多い。裁断加工するにはメジャーを何回も使い測りながら裁断線を引くのが普通であるが、本考案は、予め四辺に目盛りを内央部分に枡目を印刷して裁断の利便性を図ることに関する。
【背景技術】
【０００２】　従来このような建築用パネルは未だなく、メジャーを使って裁断線を引くのに非常に神経を使い、間違うことも多かった。また、間違いを見つけることも容易ではなかった。
【考案が解決しようとする課題】
【０００３】　そこで本考案は、方形状の建築用パネルの四辺に目盛りを付し、その内央部分に所望の間隔で縦横に枡目を並列して表した。
【課題を解決するための手段】
【０００４】　前記目的を達成するために、請求項１に係る考案は、方形状である建築用パネルの四辺３に目盛り２を付し、その内央部分に所望の大きさで縦横に枡目４を並列して表したことを特徴とする目盛り付建築用パネル１としたものである。
【考案を実施するための最良の形態】
【０００５】　以下、図面を参照して本考案に係る目盛り付建築用パネル１について説明する。図１は本考案の目盛り付建築用パネル１の表面図を示したものであり、図２は裁断線５を書き込んだ表面図を示したものである。【０００６】　請求項１に係る考案は、図１〜図２に示すように、ベニヤ板、サイデング材、石膏ボード等に目盛り２及び枡目４を予め付すことにより、簡便に計測、作図及び裁断ができ、手間や時間を大幅に節約して簡素化し、作業効率を高めることができ、更に、間違いを軽減することができるとともに、目盛り２によって裁断片を活用できるか簡単に目測できるので、資源を有効利用することができる。【０００７】　そして、請求項２の考案は、前記目盛り（２）と、前記枡目（４）とを建築用パネルの表裏両面に表したことを特徴とする請求項１に記載の目盛り付建築用パネル１としたものである。【０００８】　最近の建築においては、パネル工法によるものが多く、入り組んだ形態に対応でき、美的処理ができるようになった。そこでどうしても、現場において実寸に合わせて裁断する場合も多くなり、裁断の利便性が大いに要求されてくる。
　また、内央部に付した所望の大きさの枡目４は、その線の位置から寸法の間違いを敏感に察知でき、上下に多数目盛り付建築用パネル１を並設した場合枡目４の縦横の連続感が目盛り付建築用パネル１の並びの狂いを見つける指針となり、また、枡目４を表す線の印刷には細線か点線を使用するが、それは裁断線５を引いたときに裁断線５を際立たせるためである。【０００９】　ある角度の線を引く時、目盛り２と枡目４に従って分度器がなくとも所望の角度を容易に引くことができるという利点がある。ここでいう目盛り２とは、センチメートルというような度量衡に基づくものであり、目盛り２には５センチメートル毎、あるいは１０センチメートル毎に数字を表してもよい。【００１０】　請求項２に係る考案は、建築用パネルの表裏両面に目盛り２及び枡目４を付すことにより、表裏区別なく使う材料の場合や、裏面からの孔あけ作業をする場合等において便利である。また、右効き、左効きに対し表裏で使い分けもできる。裏面の目盛り２にセンチメートルの数字を付すときは、左側から始めてもよく、また、表面の数字と同じ数字が同位置にくるように表してもよいことは勿論である。
【考案の効果】
【００１１】　請求項１に係る考案は、建築用パネルに目盛り及び枡目を付すことにより、簡便に計測、作図及び裁断ができ、手間や時間を大幅に節約して簡素化し、作業効率を高めることができ、更に、間違いを軽減することができるとともに、目盛りによって裁断片を活用できるか目測ができるので、資源を有効利用できるという効果を奏する。
　請求項２に係る考案は、建築用パネルの表裏両面に目盛り及び枡目を付すことにより、表裏区別なく使う材料の場合や、裏面からの孔あけ作業をする場合、右効き、左効きに対し使い分けができるという効果を奏する。
【図面の簡単な説明】
【図１】　　本考案の目盛り付建築用パネルの表面図を示したものである。
【図２】　　裁断線を書き込んだ表面図である。
【符号の説明】
　　　１　　　目盛り付建築パネル
　　　２　　　目盛り
　　　３　　　四辺
　　　４　　　枡目
　　　５　　　裁断線
【図１】
0003099013.tif 000003
【図２】
0003099013.tif 000004
(57)【要約】
【課題】　自動車運転時、走行中クラクションを鳴らすとき片手がハンドルから離れたりして的確なハンドル操作に悪影響を与えます。また、対向車、あるいは車対人との簡易的コミュニケーションとして、「プッ」といった短いクラクションを鳴らすことは、意外に簡単ではない。
【解決手段】　現在ではオートマチック車の割合が多く、自動車運転中は左足では何も操作することがないので、この左足をクラクション操作に活用します。運転席のブレーキペダルの左側の位置にクラクションスイッチを設置することにより、このスイッチを左足のつま先で軽く蹴り上げることによって「プッ」といった短いクラクションを鳴らすことが簡単にできるようにした。
【選択図】　　　　　　　図１
0003099093.tif 000002
【実用新案登録請求の範囲】
【請求項１】
　自動車（車両）の運転手の左足の操作により発音させることを目的とするために、運転席のブレーキペダルの左側の位置にクラクションスイッチを設置させたクラクション(ホーン)装置。
【請求項２】
　請求項１に記載のクラクションスイッチ本体の構造であり、蛇腹のポンプに似た構造を有する空気圧を利用したクラクションスイッチ。
【考案の詳細な説明】
【技術分野】
【０００１】
　本考案は、手を使うことなく左足のみでクラクションを鳴らせるクラクション(ホーン)装置に関するものである。
【背景技術】
【０００２】
現行ではクラクション(ホーン)のスイッチはハンドルの中などに付加してあり、これを普通片手によって押すことによりクラクションを鳴らします。
【０００３】
【特許文献１】特開２００１−１３０３２２
【特許文献２】実開平５−６８７４４
【考案の開示】
【考案が解決しようとする課題】
【０００４】
現行の欠点として走行中クラクションを鳴らすとき片手がハンドルから離れたりして的確なハンドル操作に悪影響を与えます。また、対向車、あるいは車対人との簡易的コミュニケーションとして、「プッ」といった短いクラクションを鳴らすことは、意外に簡単ではなく、手でクラクション操作をすると微妙なクラクション操作を必要とし、慣れていないと、クラクションスイッチを長めに押してしまって「ビィー」と警笛のように鳴らしてしまうことがある。
【課題を解決するための手段】
【０００５】
　現在ではオートマチック車の割合が多く、自動車運転中は左足では何も操作することがないので、この左足をクラクション操作に活用します。運転席のシートに座った状態で左足つま先の上の位置（ブレーキペダルの左側）にクラクションスイッチを設置することにより、このスイッチを左足つま先で軽く蹴り上げることによって「プッ」といった短いクラクションを鳴らすことが簡単にできるようにしました。
【考案の効果】
【０００６】
ハンドル操作をしながらのクラクション操作は意外と難しくクラクションスイッチを長めに押してしまって「ビィー」と警笛のように鳴らしてしまうことがあり、相手に対して不快感や怒りさえおぼえさせ、しいては暴力事件にまで発展してしまう要素までありますが、左足クラクションでは左足つま先で軽く蹴り上げるという行為で音を出すのでクラクションスイッチにつま先があたっている時間も短く当然短い音になり、それらを避けることができます。またハンドル操作を両手でしながらできるので相手車両から道をゆずってもらった場合など右折操作をしながらでも短いクラクションを鳴らし気持ちのよいコミュニケーション(対向車との挨拶)などがしやすくなります。また、手でクラクションスイッチを押すより左足つま先で軽く蹴り上げる方が早くクラクションを鳴らすことができます。
【考案を実施するための最良の形態】
【０００７】
新たに付加するスイッチの位置を左足つま先の上とし、ここに浮き輪などに空気を入れ込む蛇腹のポンプに似た構造のスイッチを設置します。このスイッチがホーンに接続されているので、スイッチを左足つま先で軽く蹴り上げることによって「プッ」といった短いクラクションを鳴らすことが簡単にでき、両手は走行中ハンドル操作に集中でき、安全なハンドル操作と簡単なクラクション発音を実現しました。また、スイッチの形状は横長（楕円）にしているため左足蹴り上げ位置が多少ずれてもカバーでき、蛇腹タイプの構造により空気圧を利用しているので、中心よりずれた位置を蹴り上げても発音させることができます。このとき左足クラクションスイッチ本体は車体に最初から付属していて少し大きめのスイッチにしておけば万人向きの仕様となり設置位置の調整は不要とすることもできます。また車体から分離可能にした場合は、車体側とスイッチの裏面にマジックテープ等を付加することにより各自に合わせた、蹴り上げ位置に調整が可能です。本考案は車体に最初から付属しているタイプとカー用品の様に後付けできるタイプが考えられます。
【実施例】
【０００８】
以下、本考案を図面を参照しながら具体的に説明する。
図１は本考案装置の設置図である。普通に運転席のシートに座った状態で、自然に投げ出した左足の膝を支点にして上に蹴り上げたつま先が車体にあたる位置に左足クラクションスイッチを位置調整、あるいは設置します。あとは左足つま先で蹴り上げ、ホーンが発音するかを確認すれば準備完了です。図２は本考案の概略構造図である。左足によって蹴られたクラクションスイッチ内部の空気が通気管を通り抜ける際に抵抗板を作動させ接点が接触することにより通電しホーンを発音させます。普通のクラクションスイッチ（スプリング等を使用したもの）でも十分使用可能ではあるが、足で操作することを考えた場合、強く蹴ってしまう場合の耐久性とつま先への衝撃を考慮しソフトな蛇腹タイプの構造とした。また空気圧は何処を蹴ってもほぼ一定に作用するので適している。マジックテープはスイッチ本体を車体から分離可能にした場合に必要とします。
【図面の簡単な説明】
【０００９】
【図１】左足クラクションの設置位置と操作方法を示した説明図である。
【図２】左足で操作する上で最適と考えられる左足クラクション本体の概略構造図である。
【符号の説明】
【００１０】
１　左足クラクションスイッチ本体
２　アクセルペダル
３　ブレーキペダル
４　ホーン
５　バッテリー
６　接点部
７　マジックテープ
【図１】
0003099093.tif 000003
【図２】
0003099093.tif 000004
(57)【要約】
【課題】生麺の安全を確保し輸送するためのダンボールケースを提供する。
【解決手段】生麺が入ったダンボールトレーをタンスの引き出し式に外装箱へ梱包することにより、外部からの異物混入を防ぐとともに、段積みした場合の圧縮強度不足を改善する。
【選択図】図５
0003099096.tif 000002
【実用新案登録請求の範囲】
【請求項１】
　複数個のダンボールトレーを外装箱に挿入してセットする方法で梱包することにより、輸送する際の圧縮強度を上げる構造とした生麺輸送用ダンボールケース。
【請求項２】
　請求項１の方法により、外部からの異物混入を防ぐ構造とした生麺輸送用ダンボールケース。
【請求項３】
　請求項１の方法により、紙の使用量を低減させ製造コストの削減とゴミの削減を可能にした生麺輸送用ダンボールケース。
【考案の詳細な説明】
【技術分野】
【０００１】
　本考案は、生麺を輸送する際の梱包用ダンボールケースに関するものである。
【背景技術】
【０００２】
　従来、生麺を輸送する際には、図７及び図８に示すように１個のダンボールトレーに対して１個の蓋を使用し、それらを積み上げ結束バンド等で結束し、輸送していた。この場合、各トレーには蓋が必要であり、輸送する場合には各トレーをまとめるための結束バンドが必要となる。そのため、結束物のズレからくる強度不足や廃棄時のゴミの量に問題があった。
【０００３】
　結束バンド等の結束物を排除したり蓋をなくするダンボール梱包方法が提案されてはいる（例えば特許文献１参照）が生の麺類を梱包するのに十分満足し得るものではない。
【特許文献１】特開２００２−１４５２４４号公報
【考案の開示】
【考案が解決しようとする課題】
【０００４】
　前記のように容器に商品をセットし個装した梱包形態をとると、容器の身と蓋というように部品点数が増え、在庫の管理が煩雑になる。また必然的に紙の使用量が多くなるために、ゴミが増加する。さらに結束バンド等で結束して輸送するために、結束物のズレや輸送時の強度が不足するという欠点とこれに起因して外部からの異物混入の恐れがあった。これら問題点の解決が望まれている。
【課題を解決するための手段】
【０００５】
　本考案ではかかる課題を解決するための具体的手段として、ダンボールトレー複数個を１個の外装箱に梱包するという形態をとることで輸送時の強度改善を図り、また異物混入の恐れを排除した。
【考案の効果】
【０００６】
　本考案はダンボールトレー複数個を1個の外装箱に梱包することにより、ダンボールを段積みしたときの安定性を改善させることができ、しかも輸送時の圧縮強度を向上させることができる。
【０００７】
　本考案の梱包形態をとることで、製品梱包時の密封性が改善されるため、外部からの異物混入を防ぐことができる。
【０００８】
　本考案の梱包形態をとることで、個々のダンボールトレーに対して蓋は不要となり、紙の使用量を減じることが可能となる。結果として、結束バンドのプラスチックゴミを無くすること及び製品を安価に提供することが可能となる。
【考案を実施するための最良の形態】
【０００９】
　本考案に係るダンボールの組立て包装の手順は図１、図２、図３、図４及び図５に示す形態をとることを特徴としている。ダンボールトレーは図１の展開図に示すものを使用する。すなわち、１枚からなるシートを図２のように組み立てる。このダンボールトレーを図３のように、例えば４個積み上げ、そのまま図５に示すように外装箱に挿入して梱包する。外装箱には汎用品を使用するのでよい。
【実施例１】
【００１０】
　図５に示す本考案の実施形態を示すダンボールトレーに生うどんを充填し、冷蔵状態で長距離輸送を繰り返したが、安全性及びコスト共に満足できる結果を得た。
【産業上の利用可能性】
【００１１】
　本考案のダンボールケースは生麺の他にも積み重ねが出来ない野菜等食品類の輸送形態としても適用できる。
【図面の簡単な説明】
【００１２】
【図１】ダンボールトレーの展開図である。
【図２】ダンボールトレーの完成図である。
【図３】ダンボールトレーを段積みした図である。
【図４】輸送用外装箱への梱包前の状態を示す図である。
【図５】輸送用外装箱への梱包途中の状態を示す図である。
【図６】本考案の梱包完成図である。
【図７】従来のダンボールトレー及びフタの梱包途中を示す図である。
【図８】従来のダンボールトレー及びフタの梱包完成図である。
【図９】従来のダンボールトレー及びフタを段積み結束した梱包完成図である。
【符号の説明】
【００１３】
　１　　ダンボールトレー
　２　　外装箱
　３　　ダンボールの段目方向
　４　　クラフトテープ
　５　　従来のダンボール製フタ
　６　　従来のダンボールトレー
　７　　結束バンド
【図１】
0003099096.tif 000003
【図２】
0003099096.tif 000004
【図３】
0003099096.tif 000005
【図４】
0003099096.tif 000006
【図５】
0003099096.tif 000007
【図６】
0003099096.tif 000008
【図７】
0003099096.tif 000009
【図８】
0003099096.tif 000010
【図９】
0003099096.tif 000011
(57)【要約】
【課題】　通常の洗濯機、洗剤による洗濯では、落ちにくいワイシャツやブラウスの襟、袖口、あるいは下着、靴下など衣服の細かな部分に付着した強固な汚れを手軽に洗い落とすことのできる洗濯桶を提供する。
【解決手段】　上部に開口を有する洗濯桶、及び該洗濯桶の上縁付近と底面間に傾斜して設けられた洗濯板を一体に成形してなる洗濯板付き洗濯桶である。この洗濯桶は、傾斜した洗濯板の上面が平行に設けたほぼ水平な複数の縞状突起を有すると共に、該洗濯板の傾斜方向の辺と洗濯桶底面との間に支持板を設けるのがよい。
【選択図】　図１
0003099097.tif 000002
【実用新案登録請求の範囲】
【請求項１】
上部に開口を有する洗濯桶、及び該洗濯桶の上縁付近と底面間に傾斜して設けられた洗濯板を一体に成形してなる洗濯板付き洗濯桶。
【請求項２】
傾斜した洗濯板の上面が平行に設けたほぼ水平な複数の縞状突起を有すると共に、該洗濯板の傾斜方向の辺と洗濯桶底面との間に支持板を設けてなる請求項１の洗濯板付き洗濯桶。
【請求項３】
底面及び側面を有し上部に開口を有する洗濯桶であって、該底面の一部が上方に突出して洗濯桶の上縁近傍から底面間に傾斜する洗濯板を形成し、洗濯桶と洗濯板とが一体に成形されてなる洗濯板付き洗濯桶。
【考案の詳細な説明】
【技術分野】
【０００１】
　本考案は洗濯板と洗濯桶とが一体となった洗濯板付き洗濯桶に関する。本考案の洗濯桶は、ワイシャツやブラウスの襟、袖口などの衣服の細かな部分の汚れの洗い落としに有用である。
【背景技術】
【０００２】
　洗濯機、洗剤による日常の洗濯では、しばしばワイシャツやブラウスの襟、袖口、あるいは下着、靴下など衣服の細かな部分に付着した強固な汚れが充分に洗い落とせないことが多い。このような汚れを落とすには、通常、個別に手洗いを行う必要がある。従来は、小さな洗濯桶、洗面ボウルなどに衣類を入れ、洗剤をつけながらブラシなどで擦るなどして部分洗いを行ったり、洗濯桶に小さな洗濯板を用意して手洗いするなどしていた。
【特許文献１】特開平　８−４７４６３号
【特許文献２】実開平７−１６７８４号
【特許文献３】特開平２００２−２３９２８２号
【０００３】
　しかしながら、従来の方法では、強固な汚れの洗い落としが充分でなかったり、洗濯板を安定させることができず作業性がよくない。本考案の目的は、このような衣類の部分洗いを手軽に効率よく行うことができ、かつ構造も簡単で製造コストも小さい洗濯桶を提供することにある。
【考案の開示】
【０００４】
　本考案は上部に開口を有する洗濯桶、及び該洗濯桶の上縁付近と底面間に傾斜して設けられた洗濯板を一体に成形してなる洗濯板付き洗濯桶を提供するものである。さらに、この洗濯桶は、傾斜した洗濯板の上面が平行に設けたほぼ水平な複数の縞状突起を有すると共に、該洗濯板の傾斜方向の辺と洗濯桶底面との間に支持板を設けるのが好ましい。
　本考案の洗濯桶は、底面及び側面を有し上部に開口を有する洗濯桶であって、該底面の一部が上方に突出して洗濯桶の上縁近傍から底面間に傾斜する洗濯板を形成し、洗濯桶と洗濯板とが一体に成形されてなる洗濯板付き洗濯桶である。
【０００５】
　本考案の洗濯桶には洗濯板が固定されており、洗濯機による通常の洗濯では、除去しがたいワイシャツやブラウスの襟、袖口、あるいは下着、靴下など衣服の細かな部分に付着した強固な汚れを手軽に、効率よく洗い落とすことができ家事負担の軽減をはかることができる。
【考案を実施するための最良の形態】
【０００６】
　つぎに、本考案の洗濯板付き洗濯桶について具体例によりさらに詳細に説明する。
　図１は、本考案の洗濯桶の一具体例を示す上方からの斜視図であり、図２はこれを側面方向よりみた概略図である。
【０００７】
　図１及び図２に示すように、本考案の洗濯板付き洗濯桶は、上部に開口１１を有する洗濯桶１０と、この洗濯桶１０の開口１１の上縁１２付近から洗濯桶の底面１３に向け傾斜して設けられた洗濯板２０とが設けられている。洗濯板２０は全体が概ね矩形で、向かい合う短辺２１が円弧をなす公知の洗濯板の形状を有する。洗濯板２０は、前記洗濯桶１０の円形の上縁１２の近傍と、洗濯桶の底面１３との間に傾斜して設けられる。また、洗濯板２０の長辺傾斜方向の辺２２と洗濯桶底面１３との間には支持板２３が設けられ、洗濯板２０を保持する。洗濯桶１０に対して傾斜して設けられた洗濯板面２４には、互いに平行でほぼ水平な複数の縞状突起２５が形成されている。また、洗濯板２０の周辺（両側の桶底面）には空間が設けられて洗剤溶液をためることができ、小物の漬け置きなど随時洗剤に浸すことができて洗濯効率がよくなる。
【０００８】
　他の具体例では、洗濯板面２４は、さらに幅方向に延長し、湾曲した洗濯桶側面１４と結合した形態に成形し、前記支持板２３を省略してもよい。また、洗濯桶の上縁１２には収納時に壁面などに掛けておくためのフック用の孔１５を設ける。
　なお、図１及び図２に示す具体例では、洗濯桶１０の底面１３の一部が傾斜しつつ上方に突出して成形されて、洗濯桶１０の上縁１２の近傍から底面１３間に斜めに洗濯板面２４を形成しており、洗濯桶１０と洗濯板２０とが一体成形されている。このような構造を採用することにより、製造コストが減少するだけでなく、製品の積み上げ容積が少なくなって運搬、保管コストが減少すると共に製品強度、重量の面からも好ましい。
【０００９】
　かかる洗濯板付き洗濯桶の製造に用いる材料としては、種々の材料が用いられてよい。特に、ポリプロピレン、ポリエチレンなど公知の汎用合成樹脂は成形が容易であり安価で好ましい。これらの合成樹脂を用いて成形を行うには、射出成形など公知の成型法をいずれも用いることができる。成形にあたっては、必要に応じて、前記材料に公知の補助材料(着色剤など)を配合し成型機に供給するなどして常法により成形することができる。
【００１０】
　(考案の効果)
　本考案の洗濯桶には洗濯板が固定されており、通常、除去しにくいワイシャツやブラウスの襟、袖口などの強固な汚れを手軽に、効率よく洗い落とすことができる。製品の構造も簡単で製造コストも小さい。
【図面の簡単な説明】
【００１１】
【図１】本考案洗濯板付き洗濯桶の一具体例を示す上方からの斜視図である。
【図２】図１の洗濯桶の側面からの概略図である。
【符号の説明】
【００１２】
　１０　洗濯桶　　１１　開口　　１２　上縁　　１３　底面　　　１４　洗濯桶側面
　２０　洗濯板　　２１　短辺　　２２　長辺　　２３　支持板　　２４　洗濯板上面
　２５　縞状突起
【図１】
0003099097.tif 000003
【図２】
0003099097.tif 000004
(57)【要約】　　　（修正有）【課題】清掃の効率を上げ、効果を長く保つ、吸着ペーパーの汚れたら交換できるはたきを提供する。【解決手段】棒状体1と棒状体1の先端部2に一端が固定された多数の細長い形状の吸着ペーパーの汚れたら交換できるはたきKを構成する。【選択図】　　図１
0003099098.tif 000002
【実用新案登録請求の範囲】
【請求項１】
　棒状体と棒状体の先端部に一端が固定された多数の細長い形状の吸着する性質のペーパーより構成され、吸着ペーパーの汚れたら交換できるはたき。
【請求項２】
　前記吸着するペーパーが長方形で吸着するペーパーである請求項１に記載の吸着ペーパーの汚れたら交換できるはたき。
【請求項３】
　前記吸着するペーパーである請求項２に記載の吸着ペーパーで汚れたら交換できるはたき。
【請求項４】
　家庭での部屋の柵、さん、物品等の清掃に用いられる請求項１〜３のいずれかに記載の吸着ペーパーの汚れたら交換できるはたき。
【考案の詳細な説明】
【技術分野】
【０００１】
　本考案は家庭における清掃に用いられ、汚れたら交換できる吸着ペーパーのはたきに関するものである。
【背景技術】
【０００２】
　清掃等で物品の表面のチリやほこりを落すとき、従来のはたきを用いて対象物をはたくと対象物の表面にほこりやチリを寄せてしまうことや、部屋中にほこりがまいちり、清掃効率および効果が非常に悪かった（例えば登録実用新案公報第３０６０５１０号）。
　従来のイメージ　はたきは、はたいてほこりが飛散して拡散し、ほこりを移動させているだけで不衛生でした。本案はこの課題を解決するために考えました。そして、汚れたら交換が簡単にできる。
【０００３】
　この改善は、清掃時に静かに物品の表面のほこりやチリを除去するのみならず、吸着ペーパーの汚れたら交換のできるはたきを用いて行う清掃の効率を上げ、効果を長く保つ吸着ペーパーの汚れたら交換のできるはたきを提供する。
【特許文献１】登録実用新案公報第３０６０５１０号
【考案の開示】
【考案が解決しようとする課題】
【０００４】
　解決しようとする課題は、上述の事柄に留意してなされたもので、その目的は、はたきを用いて行う清掃の効果を上昇させることである。
【課題を解決するための手段】
【０００５】
　本考案は、上記目的を達成するために本考案が講じた技術的手段は次のとおりである。すなわち請求項１に記載の考案は、棒状体と棒状体の少なくとも先端部の一端が固定された多数の細長い形状の吸着する性質のペーパーより構成されている、汚れたら交換できるはたき。
　請求項２に記載の考案では、前記吸着するペーパー、長方形の吸着するペーパーである。
　請求項３に記載の考案では、前記汚れたら交換できる吸着ペーパーである請求項２の記載の吸着する性質のペーパーである請求項２の記載の吸着する性質のペーパーの働きであり、請求項４に記載の考案では、家庭における部屋及び物品の清掃に用いられる請求項１〜３のいずれかに記載の吸着するペーパーで汚れたら交換のできる働きのはたきである。
【考案の効果】
【０００６】
　本考案の効果として、上記の構成により、吸着するペーパーで汚れたら交換できるはたきで対象物をはたいたとき、ほこりの発生防止するのに、吸着して効率よく清掃を行うことができる。
【考案を実施するための最良の形態】
【０００７】
　以下この考案の実施例を図を参照しながら説明する。
　図１は全体形を示しており、吸着すペーパーで汚れたら交換できるはたきＫは、２段階に内側に収納および引出しが可能な棒状体１と棒状体１の先端部２に設けられた椀形状
　（例えば花王株式会社クイックルワイパー着付部）の部材と多数の３とから構成されている。そして多数の吸着できるペーパー３の一端は、椀形状の部材２内で固定されている。吸着交換ペーパー３は、ペーパー（例えば花王株式会社の製品名クイックル）を細長い長方形状にした物で、汚れたら交換できる吸着性のペーパーからなり、汚れたら交換する効果をもつ。
【実施例１】
【０００８】
　吸着するペーパーで汚れたら交換できるはたきＫの使用法は、棒状体を適宜の位置に持ち、汚れ、ほこり、チリを除去し、物体の表面へ向けて、吸着するペーパーで汚れたら交換できるはたきではたくだけで良い。
【実施例２】
【０００９】
　また、はたきＫは棒状体１を最短状態にしておけば吸着するペーパーで汚れたら交換できるはたきＫの手もとにおける清掃の機能が増し、また吸着するペーパーで汚れたら交換できるはたきＫの使用時には、棒状体１を２段階の長さにすることで使用性を高めることができる。使用後は吸着ペーパーＫが汚れた後簡単に交換できる。
【産業上の利用可能性】
【００１０】
　上記実施例１の吸着するペーパーで汚れたら交換できるはたきＫは、特に家庭内部屋、物品の清掃に用いると効果が著しい。
　以上説明のように本考案において請求項に記載の考案は、棒状体の少なくとも先端部の一端が固定された多数の細長い形状の吸着ペーパーで汚れたら交換できる材質より構成される、汚れたら交換できる吸着ペーパーの働きであり、清掃に用いられる請求項１〜３のいずれかに記載の汚れたら交換できる吸着ペーパーのはたきである。物品表面のほこり、チリを静かに除去し吸着することで掃除の効果を長く保つことができ、汚れたら簡単にペーパーを交換できる。
【図面の簡単な説明】
【００１１】
【図１】実施例１の図１の図　　　　　本考案の第１実施例を示す全体図である。
【図２】本考案の棒状体と先端部の構造である。
【図３】本考案の吸着ペーパーの交換図である。　　　　記号Ｃ椀形状のＡ‘地点にＥ吸着交換ペーパーＡを押入れ回転させ、Ｅ吸着交換ペーパーＢ地点をＢ’に押入れ使用する。汚れたらＢ‘から回転させＡ’地点を引き抜き交換させる。
【符号の説明】
【００１２】
１．棒状体　　２．先端部　　３．吸着ペーパー
Ａ．押し部所　Ａ´．押し入れ部所
Ｂ．押し部所　Ｂ´．押入れ部諸
Ｃ．椀形状押入引き抜きできる先端部
Ｄ．折りたたみ
Ｅ．吸着交換ペーパー
Ｋ．吸ペーパーの汚れたら交換できるはたき
【図１】
0003099098.tif 000003
【図２】
0003099098.tif 000004
【図３】
0003099098.tif 000005
(57)【要約】
【課題】刃床部に土が付きにくく、従来のものより軽量で、作業者の労働負担を軽減できる農具用の鍬を提供する。
【解決手段】刃床部を三つに分岐させることで軽量化をはかり、その刃床を丸形と平たく細長い菱形を組み合わせた形状としたことで、土が付きにくいようにしたことを特徴とする。
【選択図】図３
0003099044.tif 000002
【実用新案登録請求の範囲】
【請求項１】
　刃床部を三つに分岐し、その分岐した刃床の個々に、丸形と平たく細長い菱形を組み合わせた刃床形状を有する鍬。
【考案の詳細な説明】
【技術分野】
【０００１】　この考案は、主に農事用及び家庭用に使用されている農具の、鍬に関するものである。
【背景技術】
【０００２】　従来、鍬はその使用上から１−打ち鍬、２−打ち引き鍬、３−引き鍬、に分類されるが、この考案は主に３の引き鍬として使用するものである。
【考案の開示】
【考案が解決しようとする課題】
【０００３】　従来の引き鍬は、刃床部が平たい板状のため、土の粘着力により作業時に土が付き易く、またその土が離れにくいことから、経時的に作業性が悪くなるという欠点があった。
【課題を解決するための手段】
【０００４】　　本考案は、これらの欠点を除くために、
（イ）刃床部を三つに分岐させ、その刃床形状を一部丸形とすることで、土と刃床が接する部分が従来の面から点となり、土の粘着力を小さくでき、土が付きにくいようにした。
　なお、刃床部分を三つに分岐させたことで、そのすき間から土が抜け落ちてしまうと考えられがちであるが、実際は土にはアーチ作用が働くために、土が抜け落ちることはない。
（ロ）刃床部分を三つに分岐したことで、軽量化をはかった。
【考案の効果】
【０００５】　作業時において、刃床部分に土が付着しにくく、また従来のものよりも軽量化されているので、作業者の労働負担を軽減できた。
【考案を実施するための最良の形態】
【０００６】　刃床部（１）は鋼材で作り、木柄（２）に取り付けて、山地や荒れ地の開墾、また畑地や家庭菜園の耕作を行った。
【図面の簡単な説明】
【０００７】
【図１】本考案の斜視図
【図２】本考案の横視図
【図３】刃床部分の平面図
【符号の説明】
【０００８】　１刃床
　２木柄
【図１】
0003099044.tif 000003
【図２】
0003099044.tif 000004
【図３】
0003099044.tif 000005
(57)【要約】
【課題】　手のそなえる５本の指を適切に集約して、３本の肢に構成した幅広く、多くの用途に適する３肢手袋を提供するものである。
【解決手段】　５本の指によって、第１指を第１の肢とし、第２指と第３指とをとめて第２の肢とし、第４指と第５指とをまとめて第３の肢とし３本の肢をそなえる手袋とした。
【選択図】　図１
0003099043.tif 000002
【実用新案登録請求の範囲】
【請求項１】
　手のそなえる５本の指によって、第１指を第１の肢とし、第２指と第３指とをまとめて第２の肢とし、第４指と第５指とをまとめて第３の肢とし、３本の肢により構成される手袋としたことを特徴とする３肢手袋。
【考案の詳細な説明】
【考案の詳細な説明】
【技術分野】
【０００１】　この考案は、手袋の構造に関するものである。
【背景技術】
【０００２】　従来使用されているこの種の５本指の手袋は、着脱操作が煩雑なこと、物を掴んだ時の把握力がきわめて弱いことなどのためその改良品としてミトン式の２肢体式に移行して今日に至っている。
　しかしこの２肢手袋ではつぎの不便がある。すなわち、使用時に指としての動きが粗雑で、却って手袋本来の使命が発揮できないことである。
【考案が解決しようとする課題】
【０００３】　この考案は上記した従来のいずれの手袋の欠点をも改良して、すぐれた幅広く多くの用途に適する、新奇の手袋を提供することを目的になされたものである。
【課題を解決するための手段】
【０００４】　このため、手のそなえる５本の指によって第１指を第１の肢とし、第２指と第３指とをまとめて第２の肢とし、第４指と第５指とをまとめて第３の肢とし、３本の肢により構成される手袋としたことを特徴としている。
【考案を実施するための最良の形態】
【０００５】　本考案装置について実施の形態を図面に基づいて説明する。
【実施例】
【０００６】　図１は本考案装置の一実施例を示す。
図２は本考案装置の他の実施例を示す。
図３，図４，図５，図６はさらに本考案装置の他の実施例を示す。
【考案の効果】
【０００７】　本考案はこのように構成したので、上記従来の手袋のいずれの欠点をも改良することができ、全く新奇の手袋を実現することが可能となった。
【図面の簡単な説明】
【図１】この考案にかかる手袋の一実施例の外形図である。
【図２】この考案にかかる手袋の他の実施例の外形図である。
【図３】この考案にかかる手袋のさらに他の実施例の外形図である。
【図４】この考案はかかる手袋のさらに他の実施例の外形図である。
【図５】この考案はかかる手袋のさらに他の実施例の外形図である。
【図６】この考案はかかる手袋のさらに他の実施例の外形図である。
【図１】
0003099043.tif 000003
【図２】
0003099043.tif 000004
【図３】
0003099043.tif 000005
【図４】
0003099043.tif 000006
【図５】
0003099043.tif 000007
【図６】
0003099043.tif 000008
(57)【要約】【課題】本考案はマッサージ器本体に足の裏のツボをマッサージするセンサー、制御装置、足を収納できる収納室を設け、センサーにより足の裏の凝りをほぐす。【解決手段】本考案は、マッサージ器本体１に収納室２と３を設け、制御装置６から送られた信号をセンサー５でキャッチし、収納室３にある足の裏をマッサージすることで、足の裏の血行を良くし、体全体の疲労回復により健康を改善するのに役立つ。【選択図】図１
0003099046.tif 000002
【実用新案登録請求の範囲】
【請求項１】
体を仰向けにし、親指の形をしたセンサーにより足の裏にあるいろいろなツボをマッサージし、足の裏の血行を良くすることにより、体全体の疲労回復と健康改善・回復を促すことを特徴とする健康改善機器である。
【考案の詳細な説明】
【０００１】
【考案の属する技術分野】
本考案は、足のサイズをコンピュータで読み込み、足のツボをマッサージし、健康を改善する機器に関するものである。
【０００２】
【従来の技術】
足を乗せて足の裏をマッサージする機器はあるが、体を仰向けにし、足の裏のツボをマッサージすることを考えた人はいない。
【０００３】
【考案が解決しようとする課題】
足の裏のツボをコンピュータに記憶させ、親指の形をしたセンサーを足のサイズにより、ツボの位置にセンサーが移動できるように、センサーおよび制御装置を開発する必要がある。
【０００４】
【課題を解決するための手段】
本考案は、足の裏のツボをマッサージするため、足を乗せ固定するパネルを設け、コンピュータに記憶させたツボの位置にセンサーを移動させるため、実際に人の足を使用し、センサーが所定のツボの位置に移動しているかどうか、試行錯誤により検証する。
【０００５】
【考案の実施の形態】
足の形状（長さ、幅、高さ、足首の太さ）を決め、足を入れる箱を製作する。その箱の前面に親指の形をしたセンサーを設置し（親指の形も試行錯誤して決める）、足のツボを記憶させた機器より出されたセンサーにより、足のツボを押し、疲れが取れたかどうか検証する。検証する前の足裏の温度・柔らかさ・足首の温度・柔らかさ等を測定し、検証後と比較し、足裏のマッサージ器（考案の名称：足裏もみもみ）の効果を検証し、より効果がみられる足のツボに位置・センサーの強度・センサーの押す時間・ツボからツボに移動する間隔（時間）・計測時間等を検討、制御装置に記憶させる。
【０００６】
【実施例】
以下、添付図面に従って一実施例を説明する。１は耐久性のプラスチック等適宜素材にて一体化形成されたマッサージ器本体、２は足の裏を固定させる収納室（この収納室には足を暖める装置を設置）、３は足の裏のツボをマッサージするセンサーを収納する収納室、４はセンサーを自由自在の動かす動力（モーター、歯車、自在ギア等）、５は足の裏のツボをマッサージするセンサー、６は足の形状（長さ、幅、高さ）・ツボに伝える強度・ツボの位置・測定時間・測定間隔・ツボの測定方法（ツボ全体か部分的か）・２の収納室内の温度を変える等を組み込んだ制御装置、７は４の制御装置を遠隔操作できるリモコン、８は６の制御装置と７のリモコンを結ぶ遠隔操作用コードである。
【０００７】
９は足を固定する緩衝材で、センサーによる衝撃を緩和させる。１０は足のふくらはぎを乗せる台であり、１１は足と台の間に設ける緩衝材であり、１２は２の中に設け足を暖める装置である。
【０００８】
本考案の一実施例は上述の如き構成からなるものであるから、片足でも使用できることは勿論であるが、両足で使用した方がより効果がある。
【０００９】
【考案の効果】
上述の様に、本考案で開発された「足裏もみもみ」は足の裏のさまざまなツボを入念にもむことで、血液の循環をよくすることは勿論、体の全神経に刺激を与え疲労回復を促し、健康を促進・維持することに役立つものである。
【図面の簡単な説明】
【図１】本考案における「足裏もみもみ」の一実施例を示す側面図である。
【図２】本考案における「足裏もみもみ」の一実施例を示す平面図である。
【符号の説明】
１　マッサージ器本体
２　足の裏を固定させる収納室（暖房装置１２を付ける）
３　センサーを収納する収納室
４　動力（モーター、ギア等）
５　センサー
６　制御装置
７　リモコン
８　遠隔操作用コード
９　足を固定する緩衝材
１０　足のふくらはぎを乗せる台
１１　足と台の間に設ける緩衝材
１２　暖房装置
１３　マッサージ器本体１の中に足を入れるための開閉部分
【図１】
0003099046.tif 000003
【図２】
0003099046.tif 000004
【手続補正書】
【提出日】平成15年5月8日(2003.5.8)
【手続補正１】
【補正対象書類名】明細書
【補正対象項目名】実用新案登録請求の範囲
【補正方法】変更
【補正の内容】
【実用新案登録請求の範囲】
【請求項１】
マッサージ器本体（１）に、足の裏を固定させる収納室（２）と親指の形をしたセンサー（５）を収納する収納室（３）設ける。親指の形をしたセンサー（５）を収納する収納室（３）には親指の形をしたセンサー（５）を動かす動力（４）と親指の形をしたセンサー（５）と制御装置（６）が収納されている。また、制御装置（６）から必要な情報を配信する遠隔操作用コード（８）とリモコン（７）を設置する。足の裏を固定させる収納室（２）には足を固定する緩衝材（９）と暖房装置（１２）を設ける。マッサージ器本体（１）には、足を挿入する開閉部分（１３）を設ける。更に足のふくらはぎを乗せる台（１０）と足と台（１０）の間に緩衝材（１１）を設ける。
【手続補正書】
【提出日】平成15年8月14日(2003.8.14)
【手続補正１】
【補正対象書類名】明細書
【補正対象項目名】実用新案登録請求の範囲
【補正方法】変更
【補正の内容】
【実用新案登録請求の範囲】
【請求項１】
マッサージ器本体（１）において、
１．　足の裏を固定させる収納室（２）と親指の形をしたセンサー（５）を収納する収納室（３）、
２．　親指の形をしたセンサー（５）を収納する収納室（３）に収納されている親指の形をしたセンサー（５）を動かす動力（４）と親指の形をしたセンサー（５）と制御装置（６）、
３．　制御装置（６）から必要な情報を配信する遠隔操作用コード（８）とリモコン（７）、
４．　足の裏を固定させる収納室（２）には足を固定する緩衝材（９）と暖房装置（１２）、
５．　マッサージ器本体（１）には、足を挿入する開閉部分（１３）、
６．　足のふくらはぎを乗せる台（１０）と、足と台（１０）の間に緩衝材（１１）、
以上からなる健康改善器。